(57)【要約】【課題】避難口から室外に安全に避難できる時間や、初期の消火活動を行える時間を確保し易い蓄煙システムを提供する。【解決手段】室外への避難口１を設けてある室内２で発生する煙を蓄煙する蓄煙システムであって、室内で発生する煙を、避難口から遠ざかる方向に誘導可能な誘導手段１２を介して、避難口から遠ざかる側に蓄煙可能な蓄煙空間１３を設けてある。【選択図】図１
2008006080.tif 000002
【特許請求の範囲】
【請求項１】
室外への避難口を設けてある室内で発生する煙を蓄煙する蓄煙システムであって、
前記室内で発生する煙を、前記避難口から遠ざかる方向に誘導可能な誘導手段を介して、前記避難口から遠ざかる側に蓄煙可能な蓄煙空間を設けてある蓄煙システム。
【請求項２】
前記室内の天井側に臨ませるスラブをボイドスラブで構成するとともに、
前記誘導手段を構成するに、
前記ボイドスラブにおける下面に、前記ボイドスラブ内の筒状中空部に連通する煙導入口を形成するとともに、前記避難口から遠ざかる側のボイドスラブ端面に、前記筒状中空部と前記蓄煙空間とを連通する排煙口を形成して構成してある請求項１記載の蓄煙システム。
【請求項３】
前記蓄煙空間を前記室内の上部に形成してあり、
前記誘導手段を、前記室内で発生する煙を前記蓄煙空間に誘導可能なファンを設けて構成してある請求項１又は２記載の蓄煙システム。
【請求項４】
前記蓄煙空間を、前記室内の上部に、上下方向に沿う仕切りを隔てて他の空間と区画して形成してあり、
その仕切りに、前記室内で発生する煙を前記蓄煙空間に流入させる貫通孔を形成してある請求項１〜３のいずれか１項記載の蓄煙システム。
【発明の詳細な説明】
【技術分野】
【０００１】
本発明は、室外への避難口を設けてある室内で発生する煙を蓄煙する蓄煙システムに関する。
【背景技術】
【０００２】
上記蓄煙システムは、室内での火災時に発生する煙を蓄煙空間に蓄煙することで、室内の人が、煙を吸い込んだり、煙に巻かれずに、避難口から室外に安全に避難できる時間や、初期の消火活動を行える時間を確保できるように設けてある。
従来の蓄煙システムでは、天井裏空間を蓄煙空間として利用できるように、多数の貫通孔を形成してある天井板で室内上部を覆って、火災時に室内で発生した煙を、それらの貫通孔を通して、天井裏空間に流入させている（例えば、特許文献１参照）。
ちなみに、図９，図１０に示すように、平面視で略矩形に構築してある外壁３，４の内側を上下の階層に区画する床スラブ５を、多数の中空部９を一方向に連続的に、かつ、略一定間隔で水平方向に並設してあるボイドスラブ（中空スラブ）で構成して、このボイドスラブ５の下面側を下側室内２に臨ませ、各階の空間を仕切り壁６で室内２側と廊下７側とに仕切るとともに、室内２から室外（廊下）７への避難口としての出入り口１を仕切り壁６に設け、室内２側のボイドスラブ部分に、中空部９を下側室内２に連通する多数の煙導入口１４を略一定間隔で各中空部９毎に形成して、室内２で火災時に発生した煙を、それらの煙導入口１４を通して中空部９に流入させて、室内上部を天井板で覆って蓄煙空間を形成するような手間を掛けずに、ボイドスラブ５の各中空部９を蓄煙空間１３として利用することも考えられる。
【０００３】
【特許文献１】特開２００４−１５６３３５号公報
【発明の開示】
【発明が解決しようとする課題】
【０００４】
上記従来の蓄煙システムは、多数の貫通孔を介して室内に連通する天井裏空間を蓄煙空間として利用するために、天井裏空間に一旦流入した煙が、煙の流入が少ない避難口近くの貫通孔から室内に溢れ出したり、天井裏空間に流入しきれない煙が天井板の下面側に沿って室内に拡散したりし易いので、避難口から室外に安全に避難できる時間や、初期の消火活動を行える時間を確保し難い欠点がある。
本発明は上記実情に鑑みてなされたものであって、避難口から室外に安全に避難できる時間や、初期の消火活動を行える時間を確保し易い蓄煙システムを提供することを目的とする。
【課題を解決するための手段】
【０００５】
本発明の第１特徴構成は、室外への避難口を設けてある室内で発生する煙を蓄煙する蓄煙システムであって、前記室内で発生する煙を、前記避難口から遠ざかる方向に誘導可能な誘導手段を介して、前記避難口から遠ざかる側に蓄煙可能な蓄煙空間を設けてある点にある。
【０００６】
〔作用及び効果〕
室内で発生する煙を、避難口から遠ざかる方向に誘導して、避難口から遠ざかる側の蓄煙空間に蓄煙することができるので、発生した煙が避難口近くに拡がり難いとともに、その発生元にも滞留し難くなり、避難口から室外に安全に避難できる時間や、初期の消火活動を行える時間を確保し易い。
【０００７】
本発明の第２特徴構成は、前記室内の天井側に臨ませるスラブをボイドスラブで構成するとともに、前記誘導手段を構成するに、前記ボイドスラブにおける下面に、前記ボイドスラブ内の筒状中空部に連通する煙導入口を形成するとともに、前記避難口から遠ざかる側のボイドスラブ端面に、前記筒状中空部と前記蓄煙空間とを連通する排煙口を形成して構成してある点にある。
【０００８】
〔作用及び効果〕
室内の天井側に臨ませるスラブをボイドスラブで構成し、そのボイドスラブにおける下面に、ボイドスラブ内の筒状中空部に連通する煙導入口を形成するとともに、避難口から遠ざかる側のボイドスラブ端面に、筒状中空部と蓄煙空間とを連通する排煙口を形成して誘導手段を構成してあるので、室内で発生する煙を、ボイドスラブ内の筒状中空部を利用した簡単な構造で、避難口から遠ざかる側の設けた蓄煙空間に確実に誘導することができる。
【０００９】
本発明の第３特徴構成は、前記蓄煙空間を前記室内の上部に形成してあり、前記誘導手段を、前記室内で発生する煙を前記蓄煙空間に誘導可能なファンを設けて構成してある点にある。
【００１０】
〔作用及び効果〕
避難口から遠ざかる側に設けてある蓄煙空間を室内の上部に形成し、室内で発生する煙をその蓄煙空間に誘導可能なファンを設けて、避難口から遠ざかる方向に誘導可能な誘導手段を構成してあるので、室内の状況を把握し易い状態に維持しながら蓄煙し易く、安全な避難行動や初期の消火活動を行い易い。
【００１１】
本発明の第４特徴構成は、前記蓄煙空間を、前記室内の上部に、上下方向に沿う仕切りを隔てて他の空間と区画して形成してあり、その仕切りに、前記室内で発生する煙を前記蓄煙空間に流入させる貫通孔を形成してある点にある。
【００１２】
〔作用及び効果〕
避難口から遠ざかる側に設けてある蓄煙空間を、室内の上部に、上下方向に沿う仕切りを隔てて他の空間と区画して形成して、その仕切りに、室内で発生する煙を蓄煙空間に流入させる貫通孔を形成してあるので、蓄煙空間に流入した煙が、仕切りで隔てられた他の空間に流出し難い。
【発明を実施するための最良の形態】
【００１３】
以下に本発明の実施の形態を図面に基づいて説明する。
〔第１実施形態〕
図１，図２は、室外（廊下）７への避難口１を設けてある室内２で発生する煙を蓄煙する本発明による蓄煙システムを設置してある鉄筋コンクリート造りの建物の内部を示し、平面視で略矩形に構築してある外壁３，４の内側を鉄筋コンクリート製床スラブ５で上下階に区画して、各階の空間を仕切り壁６で室内２側と廊下７側とに仕切り、室内２から室外（廊下）７への避難口としての出入り口１を仕切り壁６に設け、各床スラブ５の上面側に床材８を設置してある。
【００１４】
前記床スラブ５の夫々は、多数の円筒状中空部９を一方向に連続的に、かつ、略一定間隔で水平方向に並設してあるボイドスラブで構成して、その下面側を室内２の天井側に臨ませてあり、中空部９の長手方向を仕切り壁６に直交する方向に沿わせて、廊下側外壁３に一体に構築してある廊下側梁１０と、室内側外壁４から離して構築してある室内側梁１１とで支持し、ボイドスラブ５の廊下側端部を廊下側外壁３に一体に構築して各中空部９の廊下側端部を塞ぎ、ボイドスラブ５の室内側端部は、各中空部９が室内側外壁４近くに向けて開口するように切欠いてある。
【００１５】
前記蓄煙システムは、室内２で発生する煙を、避難口１から遠ざかる方向、つまり、室内側外壁４に近づく方向に誘導可能な誘導手段１２を設けるとともに、その誘導手段１２を介して、避難口１から遠ざかる側、つまり、室内側外壁４近くの上部に蓄煙可能な蓄煙空間１３を設けて構成してある。
【００１６】
前記誘導手段１２は、ボイドスラブ５における天井側に臨む下面に、中空部９に連通する多数の煙導入口１４を略一定間隔で各中空部９毎に形成するとともに、中空部９が開口しているボイドスラブ端面１５を室内側外壁４近くに臨ませることにより、中空部９と蓄煙空間１３とを連通する排煙口１６を形成して構成してある。
【００１７】
従って、室内２での火災時に発生した煙は、上昇気流によって煙発生元に近い煙導入口１４から各中空部９に流入し、各中空部９を煙道にして排煙口１６から排出されて、室内側外壁４近くの蓄煙空間１３に蓄煙される。
【００１８】
〔第２実施形態〕
図３は、本発明による蓄煙システムの別実施形態を示し、排煙口１６近くの各中空部９内に、中空部９に流入した煙を蓄煙空間１３に誘導可能なファン１７を設けるとともに、室内２で発生した煙を感知する煙感知器１８と、設定量以上の煙を煙感知器１８が感知するとファン１７を駆動させる制御装置１９とを備えた誘導手段１２を設置してある。
【００１９】
そして、室内２で煙が発生すると、ファン１７が駆動されて、煙が発生元近くのボイドスラブ５に形成してある煙導入口１４から中空部９に吸引されるとともに、その煙が排煙口１６から蓄煙空間１３に排煙されるように構成してある。
その他の構成は第１実施形態と同様である。
【００２０】
〔第３実施形態〕
図４，図５は、本発明による別実施形態の蓄煙システムを設置してある建物の内部を示し、各床スラブ５を、廊下側外壁３に一体に構築してある廊下側梁１０と、室内側外壁４に一体に構築してある室内側梁１１とに亘って一体に構築し、各階の空間を仕切り壁６で室内２側と廊下７側とに仕切り、室内２側の各床スラブ５の下面側に天井板２０を設けて天井裏空間２１を形成してある。
【００２１】
前記蓄煙システムは、天井板２０に多数の貫通孔２２を略均一に分散させて形成して、室内２で発生する煙を、発生元近くの貫通孔２２から天井裏空間２１に流入させ、その天井裏空間２１を通して避難口１から遠ざかる方向に誘導可能な誘導手段１２を設けるとともに、その誘導手段１２を介して、避難口１から遠ざかる側である室内側外壁４近くの天井板２０の下面側に蓄煙可能な蓄煙空間１３を設けて構成してある。
【００２２】
前記誘導手段１２は、天井裏空間２１に流入した煙を蓄煙空間１３に誘導可能なファン１７を天井裏空間２１に設けるとともに、室内２で発生した煙を感知する煙感知器１８と、設定量以上の煙を煙感知器１８が感知するとファン１７を駆動させる制御装置１９とを設置して、室内２で煙が発生すると、ファン１７が駆動されて、煙が発生元近くの天井板２０の貫通孔２２から天井裏空間２１に吸引されるとともに、その煙が室内側外壁４近くにおける天井板２０の貫通孔２２から、蓄煙空間１３に排煙されるように構成してある。
その他の構成は第１実施形態と同様である。
【００２３】
〔第４実施形態〕
図６は、本発明による蓄煙システムを設置してある建物内部の別実施形態を示し、室内側外壁４近くに上下方向に沿う間仕切り２３を設けて、間仕切り２３と室内側外壁４との間の室内上部に、間仕切り２３を隔てて他の空間と区画してある蓄煙空間１３を形成してあるとともに、仕切り壁６と間仕切り２３との間の室内上部に天井板２０を設けて天井裏空間２１を形成し、間仕切り２３の上部に天井裏空間２１と蓄煙空間１３とを連通する煙流入用の貫通孔２４を形成してある。
その他の構成は第３実施形態と同様である。
【００２４】
〔第５実施形態〕
図７は第４実施形態の変形例を示し、間仕切り２３に代えて防煙垂れ壁２５を設けて、防煙垂れ壁２５と室内側外壁４との間に蓄煙空間１３を設け、ファン１７と煙感知器１８及び制御装置１９の設置を省略してある。
その他の構成は第４実施形態と同様である。
【００２５】
〔第６実施形態〕
図８は第４実施形態の変形例を示し、間仕切り２３に代えて、室内２を必要に応じてシャッター板２６で区画するシャッター装置２７を設けるとともに、室内２で発生した煙を感知する煙感知器１８と、設定量以上の煙を煙感知器１８が感知するとファン１７を駆動させるとともに、シャッター板２６が下降するようにシャッター装置２７を駆動させる制御装置１９とを設置して、室内２で煙が発生すると、シャッター板２６を下降させて、シャッター板２６と室内側外壁４との間に蓄煙空間１３を形成できるように構成してある。
その他の構成は第４実施形態と同様である。
【図面の簡単な説明】
【００２６】
【図１】蓄煙システムを示す建物の縦断面図
【図２】蓄煙システムを示す建物の縦断面図
【図３】第２実施形態を示す縦断面図
【図４】第３実施形態を示す縦断面図
【図５】第３実施形態を示す縦断面図
【図６】第４実施形態を示す縦断面図
【図７】第５実施形態を示す縦断面図
【図８】第６実施形態を示す縦断面図
【図９】比較例を示す縦断面図
【図１０】比較例を示す縦断面図
【符号の説明】
【００２７】
１  避難口
２  室内
５  ボイドスラブ
７  室外
９  中空部
１２  誘導手段
１３  蓄煙空間
１４  煙導入口
１５  ボイドスラブ端面
１６  排煙口
１７  ファン
２３  仕切り
２４  貫通孔
【図１】
2008006080.tif 000003
【図２】
2008006080.tif 000004
【図３】
2008006080.tif 000005
【図４】
2008006080.tif 000006
【図５】
2008006080.tif 000007
【図６】
2008006080.tif 000008
【図７】
2008006080.tif 000009
【図８】
2008006080.tif 000010
【図９】
2008006080.tif 000011
【図１０】
2008006080.tif 000012